(57)【要約】【課題】フィルム包装袋内にティッシュペーパー束が収容された携帯用ティッシュにおいて、ローション入りティッシュペーパー束が収容される場合であっても、ティッシュペーパー束のヨレ、型崩れなどを防止できるようにする。【解決手段】２枚一組のティッシュペーパー２が上下のティッシュペーパーと折り重ねた状態で重畳され、フィルム包装袋３内に収容された携帯用ティッシュ１において、前記フィルム包装袋３は厚みが５０〜１００μｍでかつ４５°カンチレバー法による剛軟度が３．５ｃｍ以上とされ、開口側短辺の２辺４，４をシール封鎖する２辺シール包装、または前記開口側短辺４，４の２辺シールと共に、両側長辺５，５を連続又は断続的にシールする４辺シール包装とする。【選択図】  図１
2004168389.tif 000002
【特許請求の範囲】
【請求項１】
２枚一組のティッシュペーパーが上下のティッシュペーパーと折り重ねた状態で重畳され、フィルム包装袋内に収容された携帯用ティッシュにおいて、
前記フィルム包装袋は、厚みが５０〜１００μｍでかつ４５°カンチレバー法による剛軟度が３．５ｃｍ以上とされ、開口側短辺の２辺をシール封鎖する２辺シール包装、または前記開口側短辺の２辺シールと共に、両側長辺を連続又は断続的にシールする４辺シール包装としたことを特徴とする携帯用ティッシュ。
【請求項２】
前記フィルム包装袋の短辺幅に対するティッシュペーパー束の折り畳み幅寸法の割合が７０〜８５％である請求項１記載の携帯用ティッシュ。
【請求項３】
前記フィルム包装袋の２辺シール間の内々距離に対するティッシュペーパーの長手寸法の割合が６０〜９８％である請求項１、２いずれかに記載の携帯用ティッシュ。
【請求項４】
前記フィルム包装袋の４５°カンチレバー法による剛軟度に対するティッシュペーパー束の４５°カンチレバー法による剛軟度の割合が２０〜６０％である請求項１〜３いずれかに記載の携帯用ティッシュ。
【請求項５】
前記ティッシュペーパーはグリセリンを主成分とする保湿成分をシート重量に対して５〜３０％含浸させたローション入りティッシュペーパーである請求項１〜４いずれかに記載の携帯用ティッシュ。
【請求項６】
前記ティッシュペーパーはシート米坪が１０〜２５ｇ／ｍ２である請求項１〜５いずれかに記載の携帯用ティッシュ。
【請求項７】
前記フィルム包装袋の２辺シール間の内々距離が１３０〜３００ｍｍ、短辺幅が８０〜１５０ｍｍである請求項１〜６いずれかに記載の携帯用ティッシュ。
【発明の詳細な説明】
【０００１】
【発明の属する技術分野】
本発明は、特には鼻炎、花粉症、旅行等のある程度の使用量が必要とされる際に、使用に供されるパック包装の携帯用ティッシュに関する。
【０００２】
【従来の技術】
現在、ティッシュペーパーは使用者の便宜に供するように、種々の形態で市場に提供されている。最も多いのは、ボックス型とポケット型である。前者のボックス型は、上面に取出口を有する紙箱内に、通常は２００組（４００枚）のテッシュペーパーを折り重ねた状態で収容したもので、後者のポケット型は概ね縦７０〜８０ｍｍ、横１１０〜１２０ｍｍのサイズのポリエチレン包装袋内に１０〜１５組程度のティッシュペーパーを折り重ねた状態（以下、ティッシュペーパー束という。）で収容したものである。
【０００３】
近年、これらボックス型とポケット型に加え、中間サイズのパック包装された携帯用ティッシュ（以下、ハンディ型という。）が市場に提供されるようになってきた。このハンディ型携帯ティッシュは、主には鼻炎、花粉症、旅行等のある程度の使用量が必要とされる際、使用に供されるもので、ポリエチレン又はポリプロピレン等の包装フィルム内に約５０組程度のティッシュペーパー束を収容したもので、平面サイズはほぼ前記ボックス型と同程度のサイズを有する。
【０００４】
一方で、近年ティッシュペーパーにグリセリンや多価アルコール等の保湿成分を含浸させたローション入りティッシュペーパーが市場に提供されている。このローション入りティッシュペーパーは、非常に柔軟性が高く、肌に対する刺激が少ない特徴を有し、鼻炎、花粉症等の使用頻度が非常に多い場合に重宝されている。
【０００５】
【発明が解決しようとする課題】
ところが、前記ローション入りテッシュペーパー束を上記ハンディ型包装フィルムに内封した場合、ローション入りティッシュ束の柔軟性があまりに高いため、包装袋内でヨレたり、型崩れを起こすなど、形状を保持することが非常に困難であることが判明した。
【０００６】
そこで本発明の主たる課題は、プラスチックフィルム包装袋内にティッシュペーパー束が収容された携帯用ティッシュにおいて、前記プラスチックフィルム包装袋および収容されるティッシュペーパー束の諸元、物性値、およびその相対的関係等に規定することにより、たとえローション入りティッシュペーパー束が収容される場合であっても、ティッシュペーパー束のヨレ、型崩れなどを防止できるようにすることにある。
【０００７】
【課題を解決するための手段】
前記課題を解決するために請求項１に係る本発明として、２枚一組のティッシュペーパーが上下のティッシュペーパーと折り重ねた状態で重畳され、フィルム包装袋内に収容された携帯用ティッシュにおいて、
前記フィルム包装袋は、厚みが５０〜１００μｍでかつ４５°カンチレバー法による剛軟度が３．５ｃｍ以上とされ、開口側短辺の２辺をシール封鎖する２辺シール包装、または前記開口側短辺の２辺シールと共に、両側長辺を連続又は断続的にシールする４辺シール包装としたことを特徴とする携帯用ティッシュが提供される。
【０００８】
請求項２に係る本発明として、前記フィルム包装袋の短辺幅に対するティッシュペーパー束の折り畳み幅寸法の割合が７０〜８５％である請求項１記載の携帯用ティッシュが提供される。
【０００９】
請求項３に係る本発明として、前記フィルム包装袋の２辺シール間の内々距離に対するティッシュペーパーの長手寸法の割合が６０〜９８％である請求項１、２いずれかに記載の携帯用ティッシュが提供される。
【００１０】
請求項４に係る本発明として、前記フィルム包装袋の４５°カンチレバー法による剛軟度に対するティッシュペーパー束の４５°カンチレバー法による剛軟度の割合が２０〜６０％である請求項１〜３いずれかに記載の携帯用ティッシュが提供される。
【００１１】
請求項５に係る本発明として、前記ティッシュペーパーはグリセリンを主成分とする保湿成分をシート重量に対して５〜３０％含浸させたローション入りティッシュペーパーである請求項１〜４いずれかに記載の携帯用ティッシュが提供される。
【００１２】
請求項６に係る本発明として、前記ティッシュペーパーはシート米坪が１０〜２５ｇ／ｍ２である請求項１〜５いずれかに記載の携帯用ティッシュが提供される。
【００１３】
請求項７に係る本発明として、前記フィルム包装袋の２辺シール間の内々距離が１３０〜３００ｍｍ、短辺幅が８０〜１５０ｍｍである請求項１〜６いずれかに記載の携帯用ティッシュが提供される。
【００１４】
【発明の実施の形態】
以下、本発明の実施の形態について図面を参照しながら詳述する。
図１は携帯用ティッシュ１の斜視図、図２は側縁シール態様の変形例図、図３〜図５はティッシュペーパー２の重畳構造断面図である。
【００１５】
図１に示されるように、携帯用ティッシュ１は、２枚一組のティッシュペーパー２が上下に積み重ねられるティッシュペーパー２、２と折り重ねた状態で重畳され、プラスチック製のフィルム包装袋３内に収容されたものである。前記フィルム包装袋３の上面にはミシン目３ａが形成されており、使用時には前記ミシン目３ａを開封し（以降、取出口３ａという。）、最上部のティッシュペーパー２を取り出すと、次のティッシュペーパー２が取り出し易いように取出口３ａよりその一部が突出する、所謂ポップアップ方式が採用されている。
【００１６】
前記ティッシュペーパー２の重畳構造としては、ボックスタイプなどで採用されている一般的な２つ折りの他、３つ折り（Ｚ折り又は変形Ｚ折り）などがある。前記２つ折り重畳構造は、図３に示されるように、各ティッシュペーパー２が略中央線を折り目として約半分に折り畳まれ、ティッシュペーパー２を１枚づつ交互に対向させ、上側に重ね合わされるティッシュペーパーの下側部分２ａと下側に重ね合わされるティッシュペーパーの上側部分２ｂとを順次重ね合わせて成る重畳構造である。前記３つ折りは、主にウェットティッシュなどに採用されている重畳構造で、例えば図４に示されるように、各ティッシュペーパー２がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分２ｂ、この上部分に隣接する中間を中部分２ｃ、残りを下部分２ｄとして、下側に重ね合わされるティッシュペーパー２の前記上部分２ｂのほぼ先端側半分が、上側に重ね合わされるティッシュペーパー２の前記上部分２ｂと中部分２ｃとによって挟まれながら、順次ティッシュペーパー２が積み重ねられている重畳構造や、図５に示されるように、中央線を折り目として約半分に折り畳まれた第１ティッシュペーパー２と、外側部分がそれぞれ反対面側に折り返され断面Ｚ状とされる第２ティッシュペーパー２’とが積層方向に交互に配列されるとともに、前記第１ティッシュペーパー２の上側部分２ｂのほぼ先端側半分が前記第２ティッシュペーパー２’の断面Ｚ形状を構成する下側の折返し部分２ｇと中間部分２ｆとの間に挟まれ、かつ前記第１ティッシュペーパー２の下側部分２ａのほぼ先端側半分が前記第２ティッシュペーパー２’の断面Ｚ形状を構成する上側折返し部分２ｅと中間部分２ｆとに挟まれながら順次積み重ねられている重畳構造などを挙げることができる。
【００１７】
前記重畳されたティッシュペーパー束２Ａは、５〜５０ｍｍ程度の厚みとされ、前記フィルム包装袋３内に収容される。このフィルム包装袋３は、厚みが５０〜１００μｍとされ、従来のフィルム包装袋からすればかなり厚手のものが使用される。素材はポリエチレン又はポリプロピレンなどを好適に使用できる。
【００１８】
本携帯用ティッシュ１では、特に収容されるティッシュペーパー束２Ａがヨレや型崩れを起こさないように、前記フィルム包装袋３の４５°カンチレバー法による剛軟度が３．５ｃｍ以上とされ、開口側短辺４，４の２辺をシール封鎖する２辺シール包装、または図２に示されるように、前記開口側短辺４，４の２辺シールと共に、両側長辺５，５を連続又は断続的にシールする４辺シール包装とされる。
【００１９】
前記４５°カンチレバー法は、材料の剛軟度を測定する試験法の一種で、試験器としては、図７（Ａ）に示されるように、一端が４５°の傾斜面１５とされ、かつ上面１６と下面１７とが平行している水平台で、上面１６の片側にスケール１８を取り付けたものが用いられる。試験方法は、標準的には幅２ｃｍ×長さ約１５ｃｍの短冊状試験片を作製し、図７（Ｂ）に示されるように、斜面より徐々に突き出した際に斜面１５に試験片１９の先端が接触した際の突出長さｌ（ｃｍ）で剛軟度を評価するものである。なお、本発明における４５°カンチレバー法による剛軟度は、上記寸法の試験片は作製せず、フィルム包装袋３、ティッシュペーパー束２Ａを裁断せずにそのまま試験に供した数値である。
【００２０】
前記４５°カンチレバー法による剛軟度が３．５ｃｍ未満の場合には、フィルム剛度が柔らか過ぎて、ティッシュペーパー束２Ａを包装した時に、ティッシュペーパー束２Ａの形状を保持することができない。また、フィルム包装態様は短辺側の１辺のみをシールする所謂ガセット包装も存在するが、このガセット包装とした場合には、フィルム包装袋３が広がり易く、ティッシュペーパー束２Ａに生じるヨレや型崩れを防ぐことができない。従って、本例では開口側短辺４，４の２辺をシール封鎖する２辺シール包装（以下、ピロー包装ともいう。）を採用する。これにより、両側短辺４，４のシールにより厚み方向への広がりを抑制できるようになり、ティッシュペーパー束２Ａのヨレや型崩れが生じ難くなる。また、短辺２辺４，４にシールに加え、図２に示されるように、両側長辺５，５を連続又は断続的にシールする４辺シール包装を採用する場合には、フィルム包装袋３の胴体部を円筒状から平面状態に規制できるようになり、ティッシュペーパー束２Ａの拘束度合が強まるため、より形状を保持し易くなる。
【００２１】
次いで、図６に示されるように、ティッシュペーパー束２Ａの包装状態において、前記フィルム包装袋３の短辺幅Ｂに対するティッシュペーパー束２Ａの折り畳み幅寸法Ｂ１の割合は７０〜８５％とするのが望ましい。傾向的に前記短辺幅Ｂに対するティッシュペーパー束の折り幅Ｂ１の割合が高い程、フィルム包装袋３はタイト性を増すが、この割合が８５％を超える場合には、ティッシュペーパー２を取出口３ａから取り出す際にきつくなり、取出し性が悪化するとともに、ティッシュペーパー２に破れが生じることがある。また、前記割合が７０％未満である場合には、見栄えが悪化するとともに、ティッシュペーパー束２Ａの自由度が大きくなり、形状を維持できなくなる。
【００２２】
また、前記フィルム包装袋３の２辺シール間の内々距離Ｌに対するティッシュペーパーの長手寸法Ｌ１の割合は６０〜９８％とするのが望ましい。傾向的に前記２辺シール間の内々距離Ｌに対するティッシュペーパー束の長手寸法Ｌ１の割合が高い程、フィルム包装袋３はタイト性を増すが、この割合が９８％を超える場合には、ティッシュペーパー２を取出口３ａから取り出す際にきつくなり、取出し性が悪化するとともに、ティッシュペーパー２に破れが生じることがある。また、前記割合が６０％未満である場合には、見栄えが悪化するとともに、ティッシュペーパー束２Ａの自由度が大きくなり、形状を維持できなくなる。
【００２３】
前記フィルム包装袋３の上面に形成されるミシン目３ａの長さＳはウエブカット面に対し４３〜８７％とし、好ましくは６５〜７９％とするのが望ましい。前記割合が４３％未満である場合には、フィルム包装袋３の中間部における広がりが抑えられるためティッシュペーパー束２Ａのヨレ、型崩れ防止効果が上がるものの、ティッシュペーパー２を取出口３ａから取り出す際にきつくなり、取出し性が悪化するとともに、ティッシュペーパー２に破れが生じることがある。また、前記割合が８７％を超える場合には、ティッシュペーパー２の取出しは容易になるけれども、ティッシュペーパー束２Ａの自由度が大きくなり、形状を維持できなくなる。
【００２４】
更に、前記４５°カンチレバー法による剛軟度試験において、前記フィルム包装袋３の剛軟度に対するティッシュペーパー束２Ａの剛軟度の割合は２０〜６０％とするのが望ましい。この割合が高いほど収容されるティッシュペーパー束２Ａの剛度が製品剛度に反映され、低いほどフィルム包装袋３の剛度が製品剛度に反映されていることを示すことになる。前記割合が２０％未満である場合には、相対的にティッシュペーパー束２Ａの剛度が低く、一方でフィルム包装袋３の剛度が高く成り過ぎることになり、ティッシュペーパー束２Ａのヨレや型崩れ防止効果は高いものの、フィルム剛度が高く取扱い感に欠けるものとなる。また、前記割合が６０％を超える場合には、相対的にフィルム包装袋３の剛度が小さすぎて、ティッシュペーパー束２Ａのヨレや型崩れを防止することができない。
【００２５】
ところで、本携帯用ティッシュ１におけるティッシュペーパー２は、ごく一般的なものであってもよいが、本フィルム包装袋３は収容されるティッシュペーパー束２Ａの形状保持性が優れている点で、グリセリンを主成分とする保湿成分を含浸させたローション入りティッシュペーパー２に対して特に好適に使用することができる。前記保湿成分はシート重量に対して５〜３０％含浸させるようにするのが望ましい。また、ティッシュペーパー２の米坪は通常通り、１０〜２５ｇ／ｍ２のものが用いられる。
【００２６】
前述した携帯用ティッシュ１には、所謂ポケットティッシュは含まず、鼻炎、花粉症、旅行等のある程度の使用量が必要とされる際に、使用に供されるパック包装の携帯用ティッシュが対象とされる。従って、前記フィルム包装袋３の寸法としては、２辺シール間の内々距離が１３０〜３００ｍｍ、短辺幅が８０〜１５０ｍｍのものとなる。
【００２７】
【実施例】
素材、厚さの異なるポリエチレンフィルムを用いて製作されたフィルム包装袋３内に、２枚一組のティッシュペーパー２を折り重ねたティッシュペーパー束２Ａを収容した携帯用ティッシュをそれぞれ試作し、フィルム包装袋３の端を持ち、３回振った時のティッシュペーパー束２Ａのヨレや型崩れの程度を評価した。その結果を下表１に示す。なお、試作した各携帯用ティッシュのフィルム素材・厚み、ティッシュペーパーの組数・シート寸法・折り寸法・厚み（嵩）、フィルム包装袋の寸法、サイドシール間距離、サイドシール長さ、４５°カンチレバー剛軟度等は表１のとおりである。
【００２８】
評価は、◎、○、△、×の４段階評価とし、個人差を無くすため５人のモニターが試験を行い、その平均とした。
【００２９】
【表１】
2004168389.tif 000003
【００３０】
【発明の効果】
以上詳説のとおり本発明によれば、プラスチックフィルム包装袋内にティッシュペーパー束が収容された携帯用ティッシュにおいて、たとえしなやかさの度合が高いローション入りティッシュペーパー束が収容される場合であっても、ティッシュペーパー束のヨレ、型崩れなどを防止することが可能となる。
【図面の簡単な説明】
【図１】携帯用ティッシュ１の斜視図である。
【図２】側縁シール態様の変形例図である。
【図３】ティッシュペーパー２の重畳構造（２つ折り）を示す断面図である。
【図４】ティッシュペーパー２の重畳構造（３つ折り）を示す断面図である。
【図５】ティッシュペーパー２の重畳構造（変形３つ折り）を示す断面図である。
【図６】フィルム包装袋３およびティッシュペーパー束２Ａの寸法比を示す模式図である。
【図７】４５°カンチレバー法を示す、（Ａ）は試験器斜視図、（Ｂ）は試験要領図である。
【符号の説明】
１…携帯用ティッシュ、２…ティッシュペーパー、２Ａ…ティッシュペーパー束、３…フィルム包装袋、４…フィルム包装袋の開口側短辺、５…フィルム包装袋の長辺
【図１】
2004168389.tif 000004
【図２】
2004168389.tif 000005
【図３】
2004168389.tif 000006
【図４】
2004168389.tif 000007
【図５】
2004168389.tif 000008
【図６】
2004168389.tif 000009
【図７】
2004168389.tif 000010